(57)【要約】【課題】  引込線の縁線部分の風による揺動に起因する断線やメッセンジャーワイヤへの充電を防止できる引込線支持具、および引込線の張替え長さを短くし、材料費および工費を低減できる引込線の延線工事方法を提供する。【解決手段】  支桿と、その一端に設けられ、柱間メッセンジャーワイヤの絶縁部分を挟持するメッセンジャーワイヤ挟持部と、前記支桿の他端に着脱自在に固定され、前記柱間メッセンジャーワイヤに吊架された引込線の縁線部分を支持する絶縁性の引込線通し部とを備えた引込線支持具。柱間メッセンジャーワイヤに吊架された引込線の延線方向に一方の電柱を移設する場合に、この電柱の移設前に前記引込線をその中継点に近接した位置で切断して該引込線の端部に足し線の一端を接続し、前記引込線支持具を用いて前記引込線の端部よりも柱間の中央寄りで該引込線を前記メッセンジャーワイヤの絶縁部分に支持することを含む引込線の延線工事方法。【選択図】  図１
2008172984.tif 000002
【特許請求の範囲】
【請求項１】
支桿と、その一端に設けられ、柱間メッセンジャーワイヤの絶縁部分を挟持するメッセンジャーワイヤ挟持部と、前記支桿の他端に着脱自在に固定され、前記柱間メッセンジャーワイヤに吊架された引込線の縁線部分を支持する絶縁性の引込線通し部とを備えてなることを特徴とする引込線支持具。
【請求項２】
前記支桿は、伸縮自在とされてなる請求項１に記載の引込線支持具。
【請求項３】
前記支桿は、その全長が約０．２〜１ｍの範囲で伸縮自在とされてなる請求項２に記載の引込線支持具。
【請求項４】
前記支桿は、絶縁性材料で形成されてなる請求項１〜３のいずれか1項に記載の引込線支持具。
【請求項５】
柱間メッセンジャーワイヤに吊架された引込線の延線方向に一方の電柱を移設する場合の引込線の延線工事方法であって、前記一方の電柱の移設前に前記引込線を当該電柱における中継点に近接した位置で切断し、該引込線の端部に足し線の一端を接続する工程と、メッセンジャーワイヤを延長して前記移設後の電柱に帳架する工程と、前記足し線の他端を前記移設後の電柱における中継点に改めて接続する工程と、請求項１〜４のいずれか１項に記載の引込線支持具を用いて前記引込線の端部よりも柱間の中央寄りで該引込線を前記メッセンジャーワイヤの絶縁部分に支持する工程とを有することを特徴とする引込線の延線工事方法。
【発明の詳細な説明】
【技術分野】
【０００１】
本発明は、電柱寄りの引込線の縁線部分を支持する引込線支持具、およびこれを用いた架空引込線の延線工事方法に関する。
【背景技術】
【０００２】
市街地などで架空引込線（以下、引込線という。）と電力需要家との離隔距離が長く、直接電柱から引込線を該電力需要家の引込口に引き込むことができない場合などに、隣り合う２本の電柱間に抗張線としてメッセンジャーワイヤ（以下、柱間メッセンジャーワイヤまたは単にメッセンジャーワイヤという。）を張架しておき、これに架空引込線を懸架させる途中支持方式が用いられることがある。
【０００３】
図６は、前記の柱間メッセンジャーワイヤを用いた架空引込線の途中支持方式を説明する図である。この図において、符号２８、２９は電柱、３０はメッセンジャーワイヤ、３６〜３８は引込線、３３は絶縁ハンガー、３４は玉碍子、Ｄは電力需要家である。
【０００４】
柱間メッセンジャーワイヤ３０には、各電柱２８、２９から所定の距離だけ離れた位置に玉碍子３４、３４がそれぞれ設けられ、玉碍子３４と各電柱２８、２９との間には、メッセンジャーワイヤの絶縁部分がそれぞれ形成されている。また、これら２つの玉碍子３４、３４の間のメッセンジャーワイヤには、通常約５０ｃｍの間隔で絶縁ハンガー３３が取り付けられており、それぞれの電柱２８、２９において不図示の架空配電線から分岐された引込線３６〜３８がこの絶縁ハンガー３３、３３、・・・にそれぞれ吊架されている。この絶縁ハンガー３３は、図７に示すように、塩化ビニル樹脂などで被覆された円弧状の絶縁部３３ａと、この絶縁部３３ａの端部のそれぞれより延設された半螺旋状部３３ｂおよび鍵状部３３ｃとから構成されたものである。各引込線３６〜３８は、それぞれの電力需要家Ｄの引込口の近隣までメッセンジャーワイヤ３０によって吊架支持され、そこから各引込口に向けて架線されている。
【０００５】
このような２本の電柱の一方（例えば、図８における電柱２９）が、電力需要家の事情などによってメッセンジャーワイヤ３０および架空引込線３８に足し線３９を継ぎ足して延長する方向（図８の矢印の方向）に移設される場合がある。この場合、引込線３８の絶縁ハンガー３３、３３、・・・によって吊架された部分に接続箇所を設けると、当該接続箇所における絶縁耐力が低下し、短絡事故やメッセンジャーワイヤへの充電が生じる可能性があるので、当該部分では、引込線３８に足し線３９を接続することができないこととされている。
【０００６】
そこで、従来は、図８に示すように、引込線３８をメッセンジャーワイヤ３０に取り付けられた絶縁ハンガー３３、３３、・・・によって吊架された部分から離れて電力需要家Ｄの引込口に至るまでの間で切断し、切断した端部に別途用意した電線３９の一端を接続し（接続箇所３８ａ）、この電線３９を絶縁ハンガー３３、３３、・・・によって吊架させ、移設後の電柱２９の引込専用腕金（不図示）まで長い距離張り替える方法が採られていた。しかし、この方法では、引込線の張替え作業に要する時間が長くなるとともに、材料費および工費が高額になるといった問題があった。
【０００７】
前記問題が生じないように、電柱に最も近い絶縁ハンガーと当該電柱との間、例えば移設前の電柱の引込専用腕金に設けられた中継点に近接した位置で引込線を切断し、これに足し線を接続する方法も考えられる。しかし、この場合、接続部分には張力がかからないように、電柱に最も近い絶縁ハンガーと当該電柱との間の引込線および足し線をたるませて縁線部分を形成しておく必要があり、当該縁線部分が風などによって揺動し、電柱の引込専用腕金に設けられた引込端子箱などの中継点内で断線する可能性がある。また、この縁線部分が揺動することで接続箇所がメッセンジャーワイヤに接触し、接続箇所を被覆する被覆材が摩滅し、メッセンジャーワイヤ絶縁部分への充電が生じる可能性がある。従って、この方法を採用するには、これらの問題を解決する必要がある。
【特許文献１】特開平１１−１７８１７８号公報
【発明の開示】
【発明が解決しようとする課題】
【０００８】
そこで、前記事情に鑑み、本発明は、引込線の縁線部分の風による揺動に起因する断線やメッセンジャーワイヤへの充電を防止できる引込線支持具を提供することを目的とする。また、本発明は、この引込線支持具を用いることで、引込線の張替え長さを短くすることができ、それによって材料費および工費の低減が可能となる引込線の延線工事方法を提供することを目的とする。
【課題を解決するための手段】
【０００９】
本発明の引込線支持具は、支桿と、その一端に設けられ、柱間メッセンジャーワイヤの絶縁部分を挟持するメッセンジャーワイヤ挟持部と、前記支桿の他端に着脱自在に固定され、前記柱間メッセンジャーワイヤに吊架された引込線の縁線部分を支持する絶縁性の引込線通し部とを備えてなることを特徴とする。
【００１０】
前記支桿は、その形状について特に制限されず、例えば棒状、管状、板状、短冊状などの種々の形状をとることができる。また、この支桿の全長は、固定長とされてもよく、伸縮自在とされていてもよいが、好ましくは伸縮自在とされるのがよい。この場合、この支桿は、その全長が約０．２〜１ｍ、好ましくは約０．２〜０．８ｍ、より好ましくは約０．２〜０．５ｍの範囲で伸縮自在とされるのが好ましい。最小長さを約０．２ｍとしたのは、絶縁ハンガーにおけるメッセンジャーワイヤと引込線との間の離隔距離が約０．１ｍ程度であることから、これよりもメッセンジャーワイヤとの離隔距離を大きくすることで、引込線の張力の影響を小さくすることができるためである。従って、引込線の張力の影響を受けないことが明らかな場合には、前記最小値よりも小さい値とすることを妨げない。また、最大長さを約１ｍとしたのは、これ以上引込線をたるませても、いたずらに引込線の張替え長さを長くするだけであり、また本発明の引込線支持具直下が道路などの場合、交通に支障を生じる可能性があるためである。
【００１１】
このように支桿の全長を伸縮自在とし、メッセンジャーワイヤとの離隔距離を大きくすることで、本発明の引込線支持具が支持する引込線の延線部分がメッセンジャーワイヤに接触するのを確実に防止することができる。
【００１２】
絶縁性の引込線通し部は、引込線の延線部分をこれに通して支持するものである。この引込線通し部は、引込線の延線部分を把持するものであってもよい。ここで、「絶縁性」とは、少なくとも引込線通し部の引込線の外周面と接触する部材は絶縁性材料によって形成されていることを意味している。この引込線通し部は、その全部が絶縁性であってもよい。これにより、何らかの原因で引込線の絶縁が低下したとしても、本発明の引込線支持具を介してメッセンジャーワイヤに通電し、該メッセンジャーワイヤが充電することがない。
【００１３】
また、本発明の引込線の延線工事方法は、柱間メッセンジャーワイヤに吊架された引込線の延線方向に一方の電柱を移設する場合の引込線の延線工事方法であって、前記一方の電柱の移設前に前記引込線を当該電柱における中継点に近接した位置で切断し、該引込線の端部に足し線の一端を接続する工程と、メッセンジャーワイヤを延長して前記移設後の電柱に帳架する工程と、前記足し線の他端を前記移設後の電柱における中継点に改めて接続する工程と、前記引込線支持具を用いて前記引込線の端部よりも柱間の中央寄りで該引込線を前記メッセンジャーワイヤの絶縁部分に支持する工程とを有することを特徴とする。
【発明の効果】
【００１４】
本発明の引込線支持具を用いることで、引込線の縁線部分の垂れ下がりを中間で支持するので、風などによるこの縁線の揺動を抑えることができ、その結果引込専用腕金に設けられた中継点の接続部分における引込線の断線やメッセンジャーワイヤへの充電などを防止できる。また、本発明の引込線の延線工事方法によれば、前記引込線支持具を用いて引込線の延線部分をメッセンジャーワイヤの絶縁部分に支持させることとしたので、前記のような断線によるメッセンジャーワイヤの充電などの問題が生じず、前記の引込線の張替え長さを短くでき、それによって作業時間ならびに材料費および工費を低減できる。
【発明を実施するための最良の形態】
【００１５】
以下、添付図面を参照して、本発明について詳細に説明するが、本発明は図面に示された実施の形態に限定されるものではない。なお、以下の説明において、上、下、左、右という場合、各図面における上、下、向かって左、向かって右を意味するものとする。
【００１６】
図１は、本発明の引込線支持具の実施形態の一例を示す斜視図である。この図において、本発明の引込線支持具１は、前記のとおり支桿２と、その一端に設けられたメッセンジャーワイヤ挟持部３と、引込線通し部４とを備えている。本発明の引込線支持具１は、引込線の縁線部分を支持するものであるので、前記各部は高い強度特性を備えている必要はなく、前記縁線部分の重量および風雪に耐える強度を備えていればよい。
【００１７】
前記支桿２は、それぞれ外径および内径の異なる３つの管体２ａ、２ｂ、２ｃから構成されている。これらの管体のうち最大の内径および外径を有する管体２ａにその下端の開口から中間の内径および外径を有する管体２ｂおよび最小の内径および外径を有する２ｃがそれぞれ順に入れ子状に収容されており、管体２ｂおよび２ｃの引き出し長さを調整することで伸縮自在とされている。管体２ｂおよび２ｃを管体２ａおよび２ｂに対してそれぞれ任意の引き出し長さに固定するのに、必要であれば公知の固定具を用いることができる。なお、管体２ａに入れ子状に収容される管体は２本に限定されず、さらに本数を増すことができる。
【００１８】
図１に示す実施形態では、これらの管体の長さは、例えば管体２ａが０．２ｍ、管体２ｂ、２ｃがそれぞれ０．１５ｍとすることができる。なお、各管体はこれらの長さに限定されず、支桿の全長が前記範囲内となるように各管体２ａ、２ｂ、２ｃの長さは適宜設定可能であることはいうまでもない。
【００１９】
前記支桿２の材質は特に制限されず、通常用いられる導電性を備えた金属材料で形成されていてもよく、絶縁性材料で形成されていてもよいが、好ましくは絶縁性材料で形成されているのがよい。このような絶縁性材料としては、プラスチックなどの高分子材料を挙げることができる。
【００２０】
また、前記メッセンジャーワイヤ挟持部３は、管体２ａの上端からその長さ方向外方に突出し、略中央に貫通孔１１ａを有する突片１１と、ねじ部１３を含む直線部分とその一端に設けられた湾曲部分とからなる略Ｊ字状のボルト１２と、前記ねじ部１３に螺合可能な２個のナット１４、１４とを備えている。ボルト１２の湾曲部分の断面形状は略矩形を呈している。このボルト１２の直線部分が前記突片１１の貫通孔１１ａに挿通され、ねじ部１３に２個のナット１４、１４が螺合され、突片１１にボルト１２を固定することで、ボルト１２の湾曲部と突片１１とでメッセンジャーワイヤを挟持するようになっている。なお、このボルト１２の湾曲部分の断面形状は、その他の形状、例えば円形、楕円形などとすることもできるが、その場合、メッセンジャーワイヤを確実に挟持するようにその内周面を切削などして平坦面を形成し、当該メッセンジャーワイヤとの接触面積を大きくしておくことが好ましい。
【００２１】
前記引込線通し部４は、リング状体16とその外周に当該リング状体１６の径方向外方に向けて固着されたねじ部１５とを備えており、このねじ部１５が前記管体２ｃの下端内面に刻設された不図示の雌ねじ部に螺合されることで前記支桿２に着脱自在に取り付け可能とされている。このように引込線通し部４を前記支桿２に螺合して固定することで、引込線の架線方向に応じてリング状体の向きを自在に変えることができる利点がある。このリング状体１６およびねじ部１５は、絶縁性材料で形成される。この絶縁性材料としては各種材質、性状のものが使用できるが、リング状体１６については、好ましくは、該リング状体１６に引込線を通した場合に、当該引込線が風などによって揺動してリング状体１６の内周面に接触してその被覆が摩滅しないように、当該被覆よりも硬度の小さい軟質のものを用いるのがよい。なお、このリング状体１６およびねじ部１５が硬質の絶縁性材料で形成されている場合には、リング状体１６の表面には、さらにこのような軟質の絶縁性材料を被覆してもよい。
【００２２】
図１では、リング状体１６は、引き込み線１条を支持すべく１個とされているが、ねじ部１５に適宜支持片などを固着することにより複数個のリング状体を当該支持片などに取り付け、リング状体のそれぞれに各１条の引込線を通すこともできる。これによって、引込線が複数条ある場合にも、各条を本発明の引込線支持具によって支持することが可能となる。
【００２３】
図２は、ねじ部１５に複数のリング状体１６を固定した引込線通し部４の例を示している。この図において、（ａ）は、引込線２条用であり、ねじ部１５の基端側に支持片１７が設けられており、その両側に各１個のリング状体１６、１６が固定されている。また、図２（ｂ）は、同じく２条用であるが、支持片１７の代わりに水平支持片１８を用い、その両端にリング状体１６、１６を設けている。また、図２（ｃ）は、引込線５条用であり、ねじ部１５の基端側に設けられた水平支持片１８の上側両端にそれぞれリング状体１６、１６が配置され、下側の両端および中央にそれぞれ各１個のリング状体１６、１６、１６が配置されたものである。
【００２４】
引込線通し部４は、前記リング状体１６の代わりに、図３に示すような螺旋状体１６ａを備えていてもよい。この螺旋状体１６ａもまた、前記リング状体１６と同様、絶縁性材料で形成されるが、好ましくは軟質の絶縁性材料で形成されるのがよい。このように軟質の絶縁性材料で形成することで、当該螺旋状体１６ａに引込線を通す場合や引込線が揺動した場合などに引込線の被覆の摩滅や傷つきを防止できる。また、この螺旋状体１６ａが硬質の絶縁性材料で形成されている場合には、その表面に軟質の絶縁性材料を被覆できる。前記リング状体１６では、引込線の延線部分を切断した後、足し線を接続する前にこの引込線の端部を通す必要があるが、このように螺旋状体１６ａを用いることで、足し線の両端を接続した後でも、この引込線通し部４に引込線の延線部分を通すことができる利点がある。
【００２５】
図４は、前記引込線通し部４の別の例を模式的に示す図である。この図（ａ）は、引込線１条用の引込線通し部の例であり、略Ｕ字状に形成された棒状片からなる引込線受け１９の一端にねじ部１５が固着された形状を備えている。この引込線受け１９は、その一端に固定され他端側に延びるキャップ２０を備えており、このキャップ２０を引込線受け１９の他端に嵌合することで、この引込線受け１９内に通された引込線が外れ落ちないようになっている。これにより、引込線の延線部分での揺動が抑制され、引込専用腕金上の中継点（図５参照）での引込線の断線の発生を防止できる。図４（ｂ）は、引込線２条用の例であり、ねじ部１５の基端側に支持片１７を介して固定された支持片１７ａの左右両側にそれぞれ前記と同様のキャップ２０を備えた引込線受け１９が固着されている。
【００２６】
また、図４（ｃ）は、同じく２条用であるが、支持片１７、１７ａの代わりに水平支持片１８を用い、その両端に前記（ａ）と同様のキャップ２０を備えた引込線受け１９、１９が固定されている。また、図４（ｄ）は、足し線５条用であり、ねじ部１５の基端側に設けられた水平支持片１８の上側両端にそれぞれ引込線受け１９、１９がそれぞれ配置され、水平支持片１８の下側には両端および中央にそれぞれ各１個の引込線受け１９、１９、１９が配置されている。これらの引込線受け１９、１９、・・には前記の例と同様にそれぞれ前記したキャップ２０が取り付けられている。
【００２７】
以上説明したように、本発明の引込線支持具を用いることで、引込線の縁線部分をその中間でメッセンジャーワイヤに対して所定の距離だけ離して支持できるので、該縁線部分のたるみを小さくし、風などによるこの縁線の揺動を抑えることができ、その結果引込専用腕金に設けられた中継点においてこの引込線が断線したり、引込線のメッセンジャーワイヤ絶縁部分に充電したりする危険性が著しく低減できる。
【００２８】
次に、図５を参照して、以上のような構成の引込線支持具を用いた架空引込線の延線工事方法について説明する。この図において、符号３０ａはメッセンジャーワイヤ延長線、３１はメッセンジャーワイヤ接続点、４０は足し線、４１は引込線と足し線との接続点、４２は引込専用腕金、４３は中継点である。
【００２９】
移設前の電柱２９の引込専用腕金に設けられた中継点に近接した位置で引込線３８を切断し、その端部に足し線４０の一端を接続する（接続点４１）。また、玉碍子３４と当該電柱２９との間でメッセンジャーワイヤ３０を切断し、その端部に延長線３０ａの一端を接続する（接続点３１）。
【００３０】
電柱２９の移設後に、メッセンジャーワイヤ延長線３０ａの他端を所定の吊架金物（不図示）を用いて電柱２９に帳架する。このように玉碍子３４と電柱２９との間でメッセンジャーワイヤ３０を延長するので、メッセンジャーワイヤの延長線３０ａについても、その絶縁が確保される（絶縁部分となる）。
【００３１】
また、本発明の引込線支持具１をその挟持部３によってメッセンジャーワイヤ３０の絶縁部分を挟持して懸架し、前記引込線３８の接続点４１よりも柱間中央寄りの部分を引込線通し部４に通して引込線３８を支持させる。足し線４０の他端は、前記移設後の電柱２９の引込専用腕金４２に設けられた中継点４３（引込端子箱など）に接続する。なお、本発明の引込線支持具１における引込線通し部４が前記の螺旋状体や略Ｕ字状の棒状片である場合には、足し線４０の他端を中継点４３に接続した後であっても、引込線３８を該引込線通し部４に通すことができる。
【００３２】
このように、本発明の引込線の延線工事方法では、本発明の引込線支持具を用いて引込線の延線部分をメッセンジャーワイヤの絶縁部分に支持させているので、前記のような断線によるメッセンジャーワイヤへの充電などの問題が生じない。また、本発明の引込線の延線工事方法では、本発明の引込み線支持具を用いることで、移設前の電柱に近い位置で引込線を切断できるので、従来の方法よりも引込線の張替え長さを短くでき、その結果引込線の架線に要する作業時間を短縮できるとともに、材料費および工費の低減が図れる。
【図面の簡単な説明】
【００３３】
【図１】本発明の引込線支持具の実施形態の一例を示す図である。
【図２】本発明の引込線支持具における引込線通し部の一例を模式的に示す図である。
【図３】図２に示す引込線通し部のリング状体の代替例を模式的に示す図である。
【図４】本発明の引込線支持具における引込線通し部の別の例を模式的に示す図である。
【図５】本発明の引込線支持具を用いた引込線の延線工事方法の説明図である。
【図６】柱間メッセンジャーワイヤを用いた引込線の引込状況を示す平面図である。
【図７】一般的な絶縁ハンガーを示す図である。
【図８】柱間メッセンジャーワイヤを帳架する一方の電柱を移設する場合の従来の引込線架線工事を説明する図である。
【符号の説明】
【００３４】
１    引込線支持具
２    支桿
２ａ、２ｂ、２ｃ    管体
３    メッセンジャーワイヤ挟持部
４    引込線通し部
１１    突片
１２    Ｕボルト
１３    ねじ部
１４    ナット
１５    ねじ部
１６    引込線支持環
１６ａ    螺旋状引込線支持環
１７    支柱
１８    横桟
１９    Ｕ字状引込線受け
２０    キャップ
２８、２９    電柱
３０    メッセンジャーワイヤ
３０ａ    メッセンジャーワイヤ延長線
３１    メッセンジャーワイヤ接続点
３３    絶縁ハンガー
３３ａ    円弧状絶縁部
３３ｂ    半螺旋状部
３３ｃ    鍵状部
３４    玉碍子
３６〜３８    架空引込線
４０    足し線
４１    接続点
４２    引込専用腕金
４３    中継点
【図１】
2008172984.tif 000003
【図２】
2008172984.tif 000004
【図３】
2008172984.tif 000005
【図４】
2008172984.tif 000006
【図５】
2008172984.tif 000007
【図６】
2008172984.tif 000008
【図７】
2008172984.tif 000009
【図８】
2008172984.tif 000010